(57)【特許請求の範囲】
【請求項１】
表板、裏板、底板、天板、左右側板を有する箱からなり、
前記裏板には、該裏板の高さ方向中央位置に略水平方向に設けられた二つ折り線と、該二つ折り線を跨いで形成された係止手段と、が設けられ、
前記表板には、該表板の下端位置を残して除去可能な開封部が設けられ、
前記左右側板の下端部が、前記表板側から前記裏板側に向かうにつれて前記天板に近づくように傾斜を有し、
前記左右側板には、前記二つ折り線端部から前記表板まで延在する分割線が設けられ、  開封時には、前記二つ折り線から二つ折りにされて前記係止手段で係止することにより前記底板および前記天板を脚部として自立可能とされており、
前記係止手段は、
前記二つ折り線の位置から前記二つ折り線と交差する方向において前記底板側に設けられた前係止溝と、前記二つ折り線の位置から前記二つ折り線と交差する方向において前記天板側に設けられた後係止溝と、からなる係止溝と、
前記前係止溝から前記二つ折り線に向けて延在する突片であって、延在方向の先端部において前記後係止溝における前記天板側の溝幅よりも幅広とされた拡幅端部を有する前係止部と、前記後係止溝から前記二つ折り線に向けて延在する突片であって、延在方向の先端部において前記前係止溝における前記底板側の溝幅よりも幅広とされた拡幅端部を有する後係止部と、からなり、前記前係止部と前記後係止部におけるそれぞれの前記延在方向の前記拡幅端部を除く長さ寸法が互いに異なっており、前記前係止部および前記後係止部におけるそれぞれの前記延在方向の先端が互いに分離切断されている係止部と、
を備え、
前記係止部において、
前記前係止部は、前記前係止部の前記延在方向における基端側において前記前係止溝の溝幅以下の一定幅を有し、前記延在方向に平行に延びる基端部分を有し、
前記後係止部は、前記後係止部の前記延在方向における基端側において前記後係止溝の溝幅以下の一定幅を有し、前記延在方向に平行に延びる基端部分を有し、
前記前係止部の前記拡幅端部は、前記前係止部の前記基端部分よりも幅広とされ、
前記後係止部の前記拡幅端部は、前記後係止部の前記基端部分よりも幅広とされた
ことを特徴とするディスプレイ箱。
【請求項２】
前記底板および前記天板が、前記係止手段で係止した開封自立時に略面一となるよう設定されてなることを特徴とする請求項１記載のディスプレイ箱。
【請求項３】
前記開封部には、前記表板の全幅を占める開放領域と、前記天板と接続されない部分を有する天側領域とが設けられ、前記底板と接続する部分が設けられないことを特徴とする請求項１または２記載のディスプレイ箱。
【請求項４】
前記開封部が、前記表板の幅方向に複数分割されていることを特徴とする請求項１から３のいずれか１項に記載のディスプレイ箱。
【請求項５】
表板、裏板、底板、天板、左右側板を有する箱からなり、
前記裏板には、該裏板の高さ方向中央位置に略水平方向に設けられた二つ折り線と、該二つ折り線を跨いで形成された係止手段と、が設けられ、
前記表板には、該表板の下端位置を残して除去可能な開封部が設けられ、
前記左右側板には、前記二つ折り線端部から前記表板まで延在する分割線が設けられ、
開封時には、前記二つ折り線から二つ折りにされて前記係止手段で係止することにより前記底板および前記天板を脚部として自立可能とされ、
前記係止手段が、
前記二つ折り線の位置から前記二つ折り線と交差する方向において前記底板側に設けられた前係止溝と、
前記二つ折り線の位置から前記二つ折り線と交差する方向において前記天板側に設けられた後係止溝と、
前記前係止溝から前記二つ折り線に向けて延在し、延在方向の先端部において前記後係止溝における前記天板側の溝幅よりも幅広とされた拡幅端部を有する前係止部と、
前記後係止溝から前記二つ折り線に向けて延在し、延在方向の先端部において前記前係止溝における前記底板側の溝幅よりも幅広とされた拡幅端部を有する後係止部と、
を有し、
前記前係止部と前記後係止部とで、前記延在方向におけるそれぞれの前記拡幅端部を除く長さ寸法が互いに異なることを特徴とするディスプレイ箱。
【発明の詳細な説明】
【技術分野】
【０００１】
本発明はディスプレイ箱に関し、特に、搬送状態で起立展示でき、開封しても起立可能に平袋状の内容物を傾斜展示可能なディスプレイ箱に用いて好適な技術に関する。
【背景技術】
【０００２】
平袋状の内包に小分けされた商品の輸送可能な紙箱は従来から知られている。平袋状の内包に小分けされた商品の輸送可能な紙箱に関する先行技術として次の特許文献に記載されたものがある。
これらの特許文献では、複数の内容物を収納しているが、箱そのものが自立する寸法であり扁平ではなく、紙箱を開封して小分けの商品を販売することを想定して、扁平な商品を箱の中で傾斜展示するものである。
【０００３】
また、同様な商品のうち、湿布などに対しては、扁平な紙箱を傾けた立位で展示するとともに箱ごと購入する方式が一般的である。
【先行技術文献】
【特許文献】
【０００４】
【特許文献１】特開２０１１−１８４０５４号公報
【特許文献２】特開２０１１−１８４０９３号公報
【発明の概要】
【発明が解決しようとする課題】
【０００５】
しかし、近年、湿布などの扁平な商品で、複数枚を包装した紙箱での販売と同時に、内包された平袋状の小品を小分けして個別に販売したいという要求がある。このような扁平な紙箱はそれ自身での自立が難しく、しかも内包された平袋状の商品はそもそも自身では自立できない形状となっている。このため、自立できない形状の内包物は傾斜させないと立位での展示販売ができない上に、下端部を押さえておかないと傾斜方向に滑り落ちる可能性があるという問題があった。これを解消するために、別体となる展示用の傾斜台などを使用することも考えられるが、コストが発生する上に展示棚の運用に支障を来す可能性があり好ましくない。
【０００６】
さらに、包装した紙箱での販売において、通常、箱を立位にて載置する展示棚の高さは商品の箱高さに対応したものとされており、湿布等の内包物では、箱の高さ寸法よりも内包物の対応する高さ寸法の方が大きく、傾斜した状態でないと展示できないという問題があった。
【０００７】
本発明は、上記の事情に鑑みてなされたもので、以下の目的を達成しようとするものである。
１．平袋状の内包に小分けされた商品を輸送および展示可能なディスプレイ箱において、内包商品の個別販売用に開封展示を容易に可能とすること。
２．内包商品を個別販売する開封展示に際して、安定的に自立可能とすること。
３．開封展示に際して、箱の自立状態に比べて、内包商品を傾斜展示可能とすること。
４．極めて扁平な紙箱において、自立状態での開封展示を安定的かつ容易に可能とすること。
５．商品輸送用の紙箱において、余計な部品を追加する必要がなく、低コストで開封展示を実現可能とすること。
【課題を解決するための手段】
【０００８】
本発明のディスプレイ箱は、表板、裏板、底板、天板、左右側板を有する箱からなり、前記裏板には、該裏板の高さ方向中央位置に略水平方向に設けられた二つ折り線と、該二つ折り線を跨いで形成された係止手段と、が設けられ、前記表板には、該表板の下端位置を残して除去可能な開封部が設けられ、前記左右側板の下端部が、前記表板側から前記裏板側に向かうにつれて前記天板に近づくように傾斜を有し、前記左右側板には、前記二つ折り線端部から前記表板まで延在する分割線が設けられ、開封時には、前記二つ折り線から二つ折りにされて前記係止手段で係止することにより前記底板および前記天板を脚部として自立可能とされており、前記係止手段は、前記二つ折り線の位置から前記二つ折り線と交差する方向において前記底板側に設けられた前係止溝と、前記二つ折り線の位置から前記二つ折り線と交差する方向において前記天板側に設けられた後係止溝と、からなる係止溝と、
前記前係止溝から前記二つ折り線に向けて延在する突片であって、延在方向の先端部において前記後係止溝における前記天板側の溝幅よりも幅広とされた拡幅端部を有する前係止部と、前記後係止溝から前記二つ折り線に向けて延在する突片であって、延在方向の先端部において前記前係止溝における前記底板側の溝幅よりも幅広とされた拡幅端部を有する後係止部と、からなり、前記前係止部と前記後係止部におけるそれぞれの前記延在方向の前記拡幅端部を除く長さ寸法が互いに異なっており、前記前係止部および前記後係止部におけるそれぞれの前記延在方向の先端が互いに分離切断されている係止部と、を備え、前記係止部において、前記前係止部は、前記前係止部の前記延在方向における基端側において前記前係止溝の溝幅以下の一定幅を有し、前記延在方向に平行に延びる基端部分を有し、前記後係止部は、前記後係止部の前記延在方向における基端側において前記後係止溝の溝幅以下の一定幅を有し、前記延在方向に平行に延びる基端部分を有し、前記前係止部の前記拡幅端部は、前記前係止部の前記基端部分よりも幅広とされ、前記後係止部の前記拡幅端部は、前記後係止部の前記基端部分よりも幅広とされたことにより上記課題を解決した。
本発明は、前記底板および前記天板が、前記係止手段で係止した開封自立時に略面一となるよう設定されてなることができる。
本発明の前記開封部には、前記表板の全幅を占める開放領域と、前記天板と接続されない部分を有する天側領域とが設けられ、前記底板と接続する部分が設けられないことがある。
本発明の前記開封部が、前記表板の幅方向に複数分割されていることが望ましい。
本発明の他のディスプレイ箱は、表板、裏板、底板、天板、左右側板を有する箱からなり、前記裏板には、該裏板の高さ方向中央位置に略水平方向に設けられた二つ折り線と、該二つ折り線を跨いで形成された係止手段と、が設けられ、前記表板には、該表板の下端位置を残して除去可能な開封部が設けられ、前記左右側板には、前記二つ折り線端部から前記表板まで延在する分割線が設けられ、開封時には、前記二つ折り線から二つ折りにされて前記係止手段で係止することにより前記底板および前記天板を脚部として自立可能とされ、前記係止手段が、前記二つ折り線の位置から前記二つ折り線と交差する方向において前記底板側に設けられた前係止溝と、前記二つ折り線の位置から前記二つ折り線と交差する方向において前記天板側に設けられた後係止溝と、前記前係止溝から前記二つ折り線に向けて延在し、延在方向の先端部において前記後係止溝における前記天板側の溝幅よりも幅広とされた拡幅端部を有する前係止部と、前記後係止溝から前記二つ折り線に向けて延在し、延在方向の先端部において前記前係止溝における前記底板側の溝幅よりも幅広とされた拡幅端部を有する後係止部と、を有し、前記前係止部と前記後係止部とで、前記延在方向におけるそれぞれの前記拡幅端部を除く長さ寸法が互いに異なることにより上記課題を解決した。
【０００９】
本発明のディスプレイ箱は、表板、裏板、底板、天板、左右側板を有する箱からなり、前記裏板には、該裏板の高さ方向中央位置に略水平方向に設けられた二つ折り線と、該二つ折り線を跨いで形成された係止手段と、が設けられ、前記表板には、該表板の下端位置を残して除去可能な開封部が設けられ、前記左右側板の下端部が、前記表板側から前記裏板側に向かうにつれて前記天板に近づくように傾斜を有し、前記左右側板には、前記二つ折り線端部から前記表板まで延在する分割線が設けられ、開封時には、前記二つ折り線から二つ折りにされて前記係止手段で係止することにより前記底板および前記天板を脚部として自立可能とされており、前記係止手段は、前記二つ折り線の位置から前記二つ折り線と交差する方向において前記底板側に設けられた前係止溝と、前記二つ折り線の位置から前記二つ折り線と交差する方向において前記天板側に設けられた後係止溝と、からなる係止溝と、前記前係止溝から前記二つ折り線に向けて延在する突片であって、延在方向の先端部において前記後係止溝における前記天板側の溝幅よりも幅広とされた拡幅端部を有する前係止部と、前記後係止溝から前記二つ折り線に向けて延在する突片であって、延在方向の先端部において前記前係止溝における前記底板側の溝幅よりも幅広とされた拡幅端部を有する後係止部と、からなり、前記前係止部と前記後係止部におけるそれぞれの前記延在方向の前記拡幅端部を除く長さ寸法が互いに異なっており、前記前係止部および前記後係止部におけるそれぞれの前記延在方向の先端が互いに分離切断されている係止部と、を備え、前記係止部において、前記前係止部は、前記前係止部の前記延在方向における基端側において前記前係止溝の溝幅以下の一定幅を有し、前記延在方向に平行に延びる基端部分を有し、前記後係止部は、前記後係止部の前記延在方向における基端側において前記後係止溝の溝幅以下の一定幅を有し、前記延在方向に平行に延びる基端部分を有し、前記前係止部の前記拡幅端部は、前記前係止部の前記基端部分よりも幅広とされ、前記後係止部の前記拡幅端部は、前記後係止部の前記基端部分よりも幅広とされたことにより、開封部を除去し、分割線を切り離し、二つ折り線から二つ折りにして、係止手段によって係止することで、ディスプレイ箱を自立させることができる。
さらに、本発明のディスプレイ箱は、係止部を係止溝に幅広な部分をはめ込んで係止するだけで、二つ折り状態を維持して、自立形状を持続することができる。
なお、本出願でいう「ディスプレイ箱」とは、組み立てられて、いわゆる箱状となっている場合は勿論のこと、組み立てられる前の状態をも含むものである。
【００１１】
本発明は、前記底板および前記天板が、前記係止手段で係止した開封自立時に略面一となるよう設定されてなることにより、前記係止手段で係止した開封自立時に略面一となった前記底板および前記天板が、例えば水平面とされる載置面との接触箇所を増やすようにされてなることにより、自立状態での安定性を向上することができる。
【００１２】
本発明の前記開封部には、前記表板の全幅を占める開放領域と、前記天板と接続されない部分を有する天側領域とが設けられ、前記底板と接続する部分が設けられないことにより、開放領域を設けたことによって、開封展示状態における内容商品の表示領域を大きくして購入者への視認度を高め、かつ、個別の平袋状の内包商品を取り出しやすくすることができるとともに、天側領域によって、開封時に分離切断する開封部の輪郭線が、表板と天板との境界部に位置する長さを短くして、収納輸送時における箱の強度低下を防止することが可能となる。
【００１３】
本発明の前記開封部が、前記表板の幅方向に複数分割されていることにより、大判の湿布等、幅寸法が大きな内包物を収納するディスプレイ箱であっても、開封部の開封を容易にかつ簡便におこなうことができ、同時に、開封部をその輪郭線に沿わない位置で切断してしまうことを防止して、開封したディスプレイ箱の開封状態における美観を望ましい状態にすることができる。
【００１４】
本発明は、前記係止部が前記二つ折り線より前記底板側に設けられた手段か、前記係止部が前記二つ折り線より前記天板側に設けられた手段を採用することにより、二つ折り線より前記底板側に係止部が設けられることで、二つ折り線よりも底板側に平袋状の内包物を入れた状態で箱を二つ折り状に自立させることができ、また、二つ折り線より前記天板側に係止部が設けられることで、二つ折り線よりも天板側に平袋状の内包物を入れた状態で箱を二つ折り状に自立させることができる。
【００１５】
本発明のディスプレイ箱は、表板、裏板、底板、天板、左右側板を有する箱からなり、  前記裏板には、該裏板の高さ方向中央位置に略水平方向に設けられた二つ折り線と、該二つ折り線を跨いで形成された係止手段と、が設けられ、前記表板には、該表板の下端位置を残して除去可能な開封部が設けられ、前記左右側板には、前記二つ折り線端部から前記表板まで延在する分割線が設けられ、開封時には、前記二つ折り線から二つ折りにされて前記係止手段で係止することにより前記底板および前記天板を脚部として自立可能とされ、前記係止手段が、前記二つ折り線の位置から前記二つ折り線と交差する方向において前記底板側に設けられた前係止溝と、前記二つ折り線の位置から前記二つ折り線と交差する方向において前記天板側に設けられた後係止溝と、前記前係止溝から前記二つ折り線に向けて延在し、延在方向の先端部において前記後係止溝における前記天板側の溝幅よりも幅広とされた拡幅端部を有する前係止部と、前記後係止溝から前記二つ折り線に向けて延在し、延在方向の先端部において前記前係止溝における前記底板側の溝幅よりも幅広とされた拡幅端部を有する後係止部と、を有し、前記前係止部と前記後係止部とで、前記延在方向におけるそれぞれの前記拡幅端部を除く長さ寸法が異なることにより、前係止部と後係止部とを切り替えることにより、二つ折りの角度を変えることが可能となり、内包物の傾斜状態を切り替えて選択可能とすることができる。
【発明の効果】
【００１６】
本発明によれば、自立できない形状の平袋状の内包物を内部に収納して輸送可能な箱において、内包物を傾けた状態でのディスプレイを安定しておこなうことができるとともに、箱形状から開封して自立展示状態に容易に変形できるとともに、自立状態を安定して維持することが可能となるディスプレイ箱を提供することができるという効果を奏することが可能となる。
【図面の簡単な説明】
【００１７】
【図１】本発明に係るディスプレイ箱の第１実施形態を示す展開図である。
【図２】本発明に係るディスプレイ箱の第１実施形態における収納状態を示す斜視図である。
【図３】本発明に係るディスプレイ箱の第１実施形態にる収納する平袋状の内包物の例を示す斜視図である。
【図４】本発明に係るディスプレイ箱の第１実施形態における開封自立状態を示す斜視図である。
【図５】本発明に係るディスプレイ箱の第１実施形態における開封自立状態を示す斜視図である。
【図６】本発明に係るディスプレイ箱の第１実施形態における展示状態を示す斜視図である。
【図７】本発明に係るディスプレイ箱の第２実施形態を示す展開図である。
【図８】本発明に係るディスプレイ箱の第２実施形態における開封自立状態を示す斜視図である。
【図９】本発明に係るディスプレイ箱の第２実施形態における開封自立状態を示す斜視図である。
【図１０】本発明に係るディスプレイ箱の第２実施形態に係る係止手段の他の例を示す展開図である。
【発明を実施するための形態】
【００１８】
以下、本発明に係るディスプレイ箱の第１実施形態を、図面に基づいて説明する。
図１は、本実施形態におけるディスプレイ箱を示す展開図であり、図２は、本実施形態におけるディスプレイ箱の収納状態を示す斜視図であり、図３は、本実施形態におけるディスプレイ箱に収納する内包物を示す斜視図であり、図４は、本実施形態におけるディスプレイ箱の開封状態を示す斜視図であり、図５は、本実施形態におけるディスプレイ箱の開封状態を示す斜視図であり、図６は、本実施形態におけるディスプレイ箱の展示状態を示す斜視図であり、図において、符号１０は、ディスプレイ箱である。
【００１９】
本実施形態に係るディスプレイ箱１０は、図１〜図６に示すように、表板１１と、裏板１２と、底板１３と、天板１４と、右側板１５と、左側板１６とからなる矩形の箱状とされる。ディスプレイ箱１０は、湿布薬等の薄い袋状にパッケージングされた内包物である商品Ｃ（図２参照）を収納し、搬送・輸送するとともに、展示・販売可能な紙箱とされる。なお、ディスプレイ箱１０は、商品Ｃを収納・搬送・輸送・展示が可能なものであれば、紙製である必要はなく、樹脂フィルム、金属薄膜、シート等あるいは、これらの複合材料からなる材質とすることが可能である。
【００２０】
ディスプレイ箱１０は、枚葉のシート１０ａを折り曲げて組み立てられる。
枚葉のシート１０ａは、図１に示すように、略矩形の輪郭形状を有する表板１１の右側に表板１１と略同じ高さ寸法の右側板１５が連続して接続され、表板１１の左側に表板１１と略同じ高さ寸法の左側板１６が連続して接続される。右側板１５と、左側板１６とは、同じ左右寸法（厚さ寸法）を有する。
表板１１の下側に表板１１と同じ幅寸法の底板１３が連続して接続され、表板１１の上側に表板１１と同じ幅寸法の天板１４が連続して接続される。底板１３と天板１４とは、いずれも右側板１５および左側板１６の左右寸法（厚さ寸法）と同じ上下寸法（厚さ寸法）を有する。なお、底板１３の寸法については後述する。
【００２１】
天板１４の上側に、折り込みフラップ１４ａが接続される。折り込みフラップ１４ａは、天板１４と同じ幅寸法として天板１４に接続され、天板１４から離間するに従って、その幅寸法が減少するように設定される。天板１４と折り込みフラップ１４ａとの接続位置両端部には、切り込みが形成されている。
右側板１５の上側に折り込みフラップ１４ｂが接続される。折り込みフラップ１４ｂは、右側板１５と同じ幅寸法として右側板１５に接続され、右側板１５から離間するに従って、その幅寸法が減少するように設定される。
左側板１６の上側に折り込みフラップ１４ｃが接続される。折り込みフラップ１４ｃは、左側板１６と同じ幅寸法として左側板１６に接続され、左側板１６から離間するに従って、その幅寸法が減少するように設定される。
【００２２】
右側板１５の右側には表板１１と略同じ高さ寸法の裏板１２が連続して接続され、裏板１２の右側に裏板１２と同じ高さ寸法の貼り着けフラップ１６ａが連続して接続される。
右側板１５の下側に折り込みフラップ１３ｂが接続される。折り込みフラップ１３ｂは、右側板１５と同じ幅寸法として右側板１５に接続され、右側板１５から離間するに従って、その幅寸法が減少するように設定される。
左側板１６の下側に折り込みフラップ１３ｃが接続される。折り込みフラップ１３ｃは、左側板１６と同じ幅寸法として左側板１６に接続され、左側板１６から離間するに従って、その幅寸法が減少するように設定される。
右側板１５および左側板１６の下端形状と、折り込みフラップ１３ｂおよび折り込みフラップ１３ｃの上端形状については後述する。
【００２３】
裏板１２の下端部には、貼り着けフラップ１３ａが連続して接続されている。貼り着けフラップ１３ａは、裏板１２と同じ幅寸法として裏板１２に接続され、裏板１２から離間するに従って、その幅寸法が減少するように設定される。
裏板１２の右側には、貼り着けフラップ１６ａが連続して接続されている。貼り着けフラップ１６ａは、裏板１２と同じ高さ寸法として裏板１２に接続され、裏板１２から離間するに従って、その幅寸法が減少するように設定される。
なお、裏板１２の上端部に、貼り着けフラップ１３ａと同等の貼り着けフラップを連続して接続させるとともに、この貼り着けフラップを折り込みフラップ１４ａに変えて、後述する底板１３と貼り着ける貼り着けフラップ１３ａのように対応させて、天板１４と貼り合わせる構成とすることも可能である。
【００２４】
ディスプレイ箱１０は、図２に示すように、表板１１および表板１１と略同形状とされる裏板１２の縦横寸法に対して、底板１３と、天板１４と、右側板１５と、左側板１６との縦横寸法は小さく設定されており、複数の薄厚商品Ｃを収納するように、厚さの小さい扁平な箱状となるように形成されている。
【００２５】
表板１１には、図１に示すように、表板１１の下端部分１１ａを残して除去可能な開封部１７が設けられており、商品Ｃを収納した状態で、この開封部１７を箱本体から分離切断可能とされている。
【００２６】
開封部１７としては、図１に示すように、高さ方向において表板１１の中間位置に、表板１１の全幅を占める開放領域１７ａが設けられ、高さ方向において表板１１の開放領域１７ａよりも上側に、天板１４と接続されない部分（残部）１１ｂ，１１ｃを切り取り線１７ｄの幅方向両側に位置するように設けた天側領域１７ｂが設けられる。
また、開封部１７としては、高さ方向において表板１１の開放領域１７ａよりも下側には、底板１３と接続する表板１１下端側の開封部１７が設けられない部分（残部）１１ａを含んだ狭隘領域１７ｃが設けられる。
【００２７】
狭隘領域１７ｃにおいては、開封部１７の下端部が、右側板１５側および左側板１６側から狭隘化するように、幅方向に延在する切り取り線１７ｅによって断続的に下端部１１ａに連続するとともに、開封部１７として右側板１５および左側板１６と接続されない部分（残部）１１ｅ，１１ｆを有する。
狭隘領域１７ｃの上側輪郭、つまり、残部１１ｅ，１１ｆの上端側輪郭は、右側板１５側および左側板１６側から下側かつ幅方向中央側に向かう傾斜直線とされ、この直線の下端側が表板１１の幅寸法より小さい幅寸法とされる開封部１７下端とされる。
【００２８】
開封部１７の輪郭となる切り取り線は、開放領域１７ａおよび天側領域１７ｂにおいては、破断した切り込み線とされて、かつ、各破断線において開封時に切断の進行方向後側には、開封部１７の輪郭内側に向けてガイド破断線が設けられ、切断された断裂線が、切断の進行方向次の破断線へと断裂線を導くガイドとなっている。これにより、表板１１と右側板１５との境界線、表板１１と左側板１６との境界線、および、表板１１と天板１４との境界線付近においては、輸送時等にディスプレイ箱１０に外部から負荷がかかった場合でも、この、開封部１７の輪郭となる破断線から容易に切断してしまうことを防止して、輸送に必要な強度を維持している。
【００２９】
また、狭隘領域１７ｃにおいては、このような強度維持の必要性よりも、開封時の美観を重視して、ガイド破断線のない、破断線によって切り取り線が構成されている。
なお、  開封部１７の輪郭は、表板１１と天板１４との境界線と重なる幅方向中央付近において、天板１４側に位置して、開封し易さを向上している。
【００３０】
表板１１とほぼ同じ輪郭形状とされる裏板１２には、裏板１２の高さ方向中央位置に略水平方向として設けられた二つ折り線１８と、二つ折り線１８を跨いで形成された係止手段２０と、が設けられる。
右側板１５には、二つ折り線１８端部から表板１１まで延在する分割線１８ｂが設けられ、左側板１６には、二つ折り線１８端部から表板１１まで延在する分割線１８ｃが設けられる。
これら分割線１８ｂおよび分割線１８ｃは、狭隘領域１７ｃにおける開封部１７輪郭線と連続する傾斜直線として設けられている。分割線１８ｂおよび分割線１８ｃは、狭隘領域１７ｃにおける開封部１７の切り取り線と同様にガイド破断線のない、破断線とされている。また、貼り着けフラップ１６ａには、左側板１６に貼り着けた際に分割線１８ｃと協働してこの分割線１８ｃと同時に切断可能となるように、分割線１８ｃと重なる位置として分割線１６ｃが設けられる。
【００３１】
二つ折り線１８は、裏板１２の高さ方向略中央に位置して幅方向と平行に裏板１２の全幅に亘って設けられる。二つ折り線１８によって裏板１２を折り曲げることで、裏板１２は、下裏板１２Ａと上裏板１２Ｂとが略対向する位置まで近づくことになる。
【００３２】
係止手段２０は、二つ折り線１８の位置から二つ折り線１８と交差する高さ方向に延在するように設けられた係止溝２１と、二つ折り線１８に対して係止溝２１と反対側から係止溝２１に向けて延在し、その先端２２ｄである二つ折り線１８側が係止溝２１よりも幅広とされた係止部２２とからなる。
【００３３】
本実施形態においては、図１に示すように、係止溝２１が二つ折り線１８の幅方向中央付近で、上裏板１２Ｂに高さ方向に延在する平行な同じ長さの切り込み線２１ａ，２１ｂの間に形成され、その天板１４側端部は、切り込み線２１ａ，２１ｂの端部どうしを結んだ幅方向と平行に延在する折り込み線２１ｃとして形成される。
係止溝２１は、これら切り込み線２１ａ，２１ｂの間に位置する折り曲げ片２１Ａを折り込み線２１ｃから折り曲げることで形成される。なお、折り曲げ片２１Ａの底板１３側の端部は二つ折り線１８と一致する直線とされている。
【００３４】
係止部２２は、二つ折り線１８に対して係止溝２１と対称な位置に対応して、図１に示すように、切り込み線２１ａ，２１ｂを、二つ折り線１８を超えて延長した位置から二つ折り線１８に向かって、切り込み線２１ａ，２１ｂ間の幅寸法よりも大きくなるように設けた切り込み線２２ａ，２２ｂと、切り込み線２１ａ，２１ｂ間の幅寸法と同じ長さ寸法とされ切り込み線２２ａ，２２ｂの端部どうしを結んだ幅方向と平行に延在する折り込み線２２ｃとして形成される。
【００３５】
係止部２２は、切り込み線２１ａ，２１ｂ間の部分を折り込み線２２ｃから折り曲げて、折り込み線２２ｃ付近を係止溝２１に係止することで、自立状態を実現する。係止部２２の天板１４側の端部は二つ折り線１８と一致する直線とされており、係止部２２の天板１４側の端部と、折り曲げ片２１Ａの底板１３側の端部とは、互いに分離切断されている。
また、係止部２２には、切り込み線２１ａ，２１ｂを延長した位置に、高さ方向に延在する平行な同じ長さの折れ線２２ｅ，２２ｆを設けることができる。
【００３６】
底板１３および天板１４が、係止手段２０で係止した開封自立時に略面一となるように設定されている。
本実施形態においては、底板１３が、表板１１及び裏板１２に対してこれらと直交する厚さ方向から、表板１１側から裏板１２側に向かうにつれて、天板１４に近づくように傾斜されている。
【００３７】
具体的には、右側板１５の下端部が、表板１１側から裏板１２側に向かうにつれて、天板１４に近づくように角度θの傾斜を有するようにされている。同時に、左側板１６の下端部が、表板１１側から裏板１２側に向かうにつれて、天板１４に近づくように角度θの傾斜を有するようにされている。
これにより、厳密に説明すると、表板１１の高さ寸法に対して、裏板１２の高さ寸法は、右側板１５および左側板１６の下端部の長さに対して角度θの正弦を乗じた分だけ短くなるように設定されている。
【００３８】
ディスプレイ箱１０となるように枚葉のシート１０ａを組み立てる場合には、図２に示すように、貼り着けフラップ１６ａを裏板１２との境界線で山折りにして、裏板１２の右側板１５と反対側辺に設けられた貼り着けフラップ１６ａを箱内側へと折り曲げるとともに、左側板１６を表板１１との境界線で山折りにし、右側板１５を表板１１との境界線で山折りにし、右側板１５を裏板１２との境界線で山折りにして、貼り着けフラップ１６ａの表面を左側板１６の裏面に貼り着けることによって、これら表板１１と、右側板１５と、裏板１２と、左側板１６とが、周方向に環状となるように断面矩形の筒を形成する。このとき、分割線１８ｃと分割線１６ｃとが重なる位置として貼り着けフラップ１６ａと左側板１６とが貼り着けられる。
【００３９】
次いで、筒状となった枚葉のシート１０ａにおいて、また、右側板１５の底板１３側辺に設けられた折り込みフラップ１３ｂを、右側板１５と折り込みフラップ１３ｂとの境界を山折りとして、箱内側へと折り曲げ、左側板１６の底板１３側辺に設けられた折り込みフラップ１３ｃを、左側板１６と折り込みフラップ１３ｃとの境界を山折りとして、箱内側へと折り曲げる。その後、裏板１２の底板１３側辺に設けられた貼り着けフラップ１３ａを、裏板１２と貼り着けフラップ１３ａとの境界を山折りとして、箱内側へと折り曲げろ。そして、底板１３を、表板１１と底板１３との境界を山折りとして、箱内側へと折り曲げて、底板１３の裏面と貼り着けフラップ１３ａの表面とを貼り着けて、表板１１と裏板１２と、右側板１５と、左側板１６とが、底板１３の全周に亘って立設された有底箱状に形成する。
【００４０】
さらに、図３に示したように、所定数の薄厚商品Ｃを内部に収納した後に、右側板１５の天板１４側辺に設けられた折り込みフラップ１４ｂを、右側板１５と折り込みフラップ１４ｂとの境界を山折りとして、箱内側へと折り曲げるとともに、左側板１６の天板１４側辺に設けられた折り込みフラップ１４ｃを、左側板１６と折り込みフラップ１４ｃとの境界を山折りとして、箱内側へと折り曲げる。
【００４１】
最後に、天板１４の表板１１と反対側辺に設けられた折り込みフラップ１４ａを、天板１４と折り込みフラップ１４ａとの境界を山折りとして、箱内側へと折り曲げた状態で、天板１４を、表板１１と天板１４との境界を山折りとして、裏板１２側に折り曲げて、折り込みフラップ１４ａを、裏板１２の上端と折り込みフラップ１４ｂ，１４ｃとの内側に差し込んで固定して、表板１１と裏板１２と、右側板１５と、左側板１６とが、底板１３の全周に亘って立設された有底箱状の上部開口を天板１４によって閉塞してディスプレイ箱１０とする。折り込みフラップ１４ａと裏板１２とは、商品Ｃを収納した後に貼り合わせてもよいし、表板１１と折り込みフラップ１４ａとの境界線幅方向両端に設けられた切り込みが折り込みフラップ１４ｂ，１４ｃと係止された状態で包装完了としてもよい。
【００４２】
本実施形態のディスプレイ箱１０を自立展示状態とするには、図２に示すように、ディスプレイ箱１０の上部となっている開封部１７の切り取り線１７ｄから開封部１７を開封するとともに、開封部１７の輪郭に沿って表板１１、右側板１５、および、左側板１６から開封部１７を切断してゆく。そして、切り取り線１７ｅから開封部１７を分離する。
【００４３】
次いで、分割線１８ｂおよび分割線１８ｃを分離して、分割線１８ｂから右側板１５を上下に二分割するとともに、分割線１８ｃから左側板１６を上下に二分割する。
同時に、裏板１２を二つ折り線１８から谷折りして上裏板１２Ｂと下裏板１２Ａとの外側表面どうしが対向して面接触するように折り曲げる。
【００４４】
係止溝２１となる切り込み線２１ａ，２１ｂの間に位置する折り曲げ片２１Ａを折り込み線２１ｃから谷折りし、係止溝２１を天板１４側の裏板１２方向に折り曲げて、係止溝２１を形成する。次いで、折れ線２２ｅ，２２ｆを谷折りまたは山折りにして係止部２２の幅方向寸法を係止溝２１の幅寸法と略同一の状態とした後、折り曲げ片２１Ａと同様に、切り込み線２２ａ，２２ｂ間の係止部２２を折り込み線２２ｃから山折りし、この係止部２２を天板１４側の裏板１２方向に折り曲げて、係止部２２を係止溝２１内に挿入する。
【００４５】
そして、係止部２２の折り込み線２２ｃ付近となる幅寸法の小さい基端部分が係止溝２１の切り込み線２１ａ，２１ｂの間に位置した状態で、折れ線２２ｅ，２２ｆから折り曲げられていた折れ線２２ｅ，２２ｆの幅方向外側に位置する両側部分を、折れ線２２ｅ，２２ｆの間の部分と略面一になるように伸展させる。この状態とすることにより、係止部２２が係止溝２１に係止されて、図４〜図６に示すように、ディスプレイ箱１０が自立展示状態となるとともに、このディスプレイ箱１０の二つ折り状態を維持することが可能となる。
【００４６】
本実施形態におけるディスプレイ箱１０は、開封部１７を分離切断するとともに、二つ折り線１８から裏板１２を二つ折りとして係止手段２０により係止した自立折り曲げ状態において、図４〜図６に示すように、底板１３に傾斜が設けられていることにより、底板１３と天板１４とが、略面一となって、これら底板１３と天板１４との全面がほぼ載置面に接触している。これにより、自立展示状態において、扁平なディスプレイ箱１０を、商品Ｃが傾斜した状態で底板１３および天板１４を脚部として自立安定的に自立維持させることが可能となる。この際、二つ折り線１８の一方側の上裏板１２Ｂは、ほぼ垂直に立設されており、二つ折り線１８の他方側の下裏板１２Ａが、上述の角度θ分だけ傾斜した状態で商品Ｃの展示をおこなうことが可能となっている。
なお、ディスプレイ箱１０を自立展示状態とする際に、必要ならば、開封部１７の分離後に、商品Ｃを一度取り出してから組み立てることも可能である。
【００４７】
以下、本発明に係るディスプレイ箱の第２実施形態を、図面に基づいて説明する。
図７は、本実施形態におけるディスプレイ箱を示す展開図、図８は、本実施形態におけるディスプレイ箱を示す斜視図、図９は、本実施形態におけるディスプレイ箱を示す斜視図であり、図において、符号３０は、ディスプレイ箱である。
本実施形態において上述した第１実施形態と異なるのは開封部、係止手段、底板の傾斜に関する点である。
【００４８】
本実施形態においては、ディスプレイ箱３０は、図７〜図９に示すように、表板３１と、裏板３２と、底板３３と、天板３４と、右側板３５と、左側板３６とからなる矩形の箱状とされる。ディスプレイ箱３０は、第1実施形態と同様に、湿布薬等の薄い袋状にパッケージングされた内包物である商品Ｃ（図２参照）を収納し、搬送・輸送するとともに、展示・販売可能な箱とされるが、ディスプレイ箱１０に比べてさらに、幅方向寸法が大きな商品を収納・展示するものとされる。なお、ディスプレイ箱３０も、商品を収納・搬送・輸送・展示が可能なものであれば、紙製である必要はなく、樹脂フィルム、金属薄膜、シート等あるいは、これらの複合材料からなる材質とすることが可能である。
【００４９】
ディスプレイ箱３０は、枚葉のシート３０ａを折り曲げて組み立てられる。
枚葉のシート３０ａは、図７に示すように、略矩形の輪郭形状を有する表板３１の右側に表板３１と略同じ高さ寸法の右側板３５が連続して接続され、表板３１の左側に表板３１と略同じ高さ寸法の左側板３６が連続して接続される。右側板３５と、左側板３６とは、同じ左右寸法（厚さ寸法）を有する。
表板３１の下側に表板３１と同じ幅寸法の底板３３が連続して接続され、表板３１の上側に表板３１と同じ幅寸法の天板３４が連続して接続される。底板３３と天板３４とは、いずれも右側板３５および左側板３６の左右寸法（厚さ寸法）と同じ上下寸法（厚さ寸法）を有する。
【００５０】
天板３４の上側に、折り込みフラップ３４ａが接続される。折り込みフラップ３４ａは、天板３４と同じ幅寸法として天板３４に接続され、天板３４から離間するに従って、その幅寸法が減少するように設定される。天板３４と折り込みフラップ３４ａとの接続位置両端部には、切り込みが形成されている。
右側板３５の上側に折り込みフラップ３４ｂが接続される。折り込みフラップ３４ｂは、右側板３５と同じ幅寸法として右側板３５に接続され、右側板３５から離間するに従って、その幅寸法が減少するように設定される。
左側板３６の上側に折り込みフラップ３４ｃが接続される。折り込みフラップ３４ｃは、左側板３６と同じ幅寸法として左側板３６に接続され、左側板３６から離間するに従って、その幅寸法が減少するように設定される。
【００５１】
右側板３５の右側には表板３１と略同じ高さ寸法の裏板３２が連続して接続され、裏板３２の右側に裏板３２と同じ高さ寸法の貼り着けフラップ３６ａが連続して接続される。
右側板３５の下側に折り込みフラップ３３ｂが接続される。折り込みフラップ３３ｂは、右側板３５と同じ幅寸法として右側板３５に接続され、右側板３５から離間するに従って、その幅寸法が減少するように設定される。
左側板３６の下側に折り込みフラップ３３ｃが接続される。折り込みフラップ３３ｃは、左側板３６と同じ幅寸法として左側板３６に接続され、左側板３６から離間するに従って、その幅寸法が減少するように設定される。
【００５２】
裏板３２の下端部には、貼り着けフラップ３３ａが連続して接続されている。貼り着けフラップ３３ａは、裏板３２と同じ幅寸法として裏板３２に接続され、裏板３２から離間するに従って、その幅寸法が減少するように設定される。
裏板３２の右側には、貼り着けフラップ３６ａが連続して接続されている。貼り着けフラップ３６ａは、裏板３２と同じ高さ寸法として裏板３２に接続され、裏板３２から離間するに従って、その幅寸法が減少するように設定される。
【００５３】
ディスプレイ箱３０は、図２に示したディスプレイ箱１０と同様に、表板３１および表板３１と略同形状とされる裏板３２の縦横寸法に対して、底板３３と、天板３４と、右側板３５と、左側板３６との縦横寸法は小さく設定されており、複数の薄厚商品Ｃを収納するように、厚さの小さい扁平な箱状となるように形成されている。
【００５４】
表板３１には、図７に示すように、表板３１の下端部分３１ａを残して除去可能な開封部３７が設けられており、商品Ｃを収納した状態で、この開封部３７を箱本体から分離切断可能とされている。
【００５５】
開封部３７としては、図７に示すように、開封部１７とは異なり、中央位置で高さ方向に延在する切り離し線３７Ａから、幅方向に大きく２分割されて右開封部３７Ｂと、左開封部３７Ｃとから構成されている。
【００５６】
開封部３７Ｂ，３７Ｃとしては、図７に示すように、高さ方向において表板３１の中間位置に、表板３１の全幅を占める開放領域３７ａが設けられる。
開放領域３７ａは、切り離し線３７Ａから、右開封部３７Ｂと、左開封部３７Ｃとに幅方向に大きく２分割されて閉塞されている。開放領域３７ａよりも高さ方向において表板３１の上側には、表板３１と天板３４との境界部分に沿って、天板３４と接続されない部分（残部）３１ｂと、残部３１ｃと、残部３１ｇとが、切り取り線３７ｄと切り取り線３７ｆとともに幅方向に並んで位置するように設けた天側領域３７ｂが設けられる。
【００５７】
これらは、左側板３６側から右側板３５側に向かって、残部３１ｂと、切り取り線３７ｄと、残部３１ｇと、切り取り線３７ｆと、残部３１ｃと、が順に並ぶように配置されている。残部３１ｇにおいては、切り離し線３７Ａの上端が残部３１ｇの幅方向中央位置に接続されており、この切り離し線３７Ａの幅方向両側において、開封部３７Ｂが、それぞれ開封部１７における残部１１ｂ、切り取り線１７ｄ、残部１１ｃに対応して、残部３１ｂ、切り取り線３７ｆ、残部１１ｇを有するとともに、開封部３７Cが、それぞれ開封部１７における残部１１ｂ、切り取り線１７ｄ、残部１１ｃに対応して、残部３１ｇ、切り取り線３７ｄ、残部１１ｃを有する構成とされている。
【００５８】
また、開封部３７としては、高さ方向において表板３１の開放領域３７ａよりも下側には、底板３３と接続する表板３１下端側の開封部３７が設けられない部分（残部）３１ａを含んだ狭隘領域３７ｃが設けられる。
【００５９】
狭隘領域３７ｃにおいては、開封部３７の下端部が、右側板３５側および左側板３６側から狭隘化するように、幅方向に延在する切り取り線３７ｅによって断続的に下端部３１ａに連続するとともに、開封部３７として右側板３５および左側板３６と接続されない部分（残部）３１ｅ，３１ｆを有する。
狭隘領域３７ｃの上側輪郭、つまり、残部３１ｅ，３１ｆの上端側輪郭は、右側板３５側および左側板３６側から下側かつ幅方向中央側に向かう傾斜直線とされ、この直線の下端側が表板３１の幅寸法より小さい幅寸法とされる開封部３７下端とされる。切り取り線３７ｅの幅方向中央位置には、切り離し線３７Ａの下端が接続されている。
【００６０】
開封部３７の輪郭となる外周に位置する切り取り線は、開放領域３７ａおよび天側領域３７ｂにおいては、破断した切り込み線とされて、かつ、各破断線において開封時に切断の進行方向後側には、開封部３７の輪郭内側に向けてガイド破断線が設けられ、切断された断裂線が、切断の進行方向次の破断線へと断裂線を導くガイドとなっている。これにより、表板３１と右側板３５との境界線、表板３１と左側板３６との境界線、および、表板３１と天板３４との境界線付近においては、輸送時等にディスプレイ箱３０に外部から負荷がかかった場合でも、この、開封部３７の輪郭となる破断線から容易に切断してしまうことを防止して、輸送に必要な強度を維持している。同様に、切り離し線３７Ａもガイド破断線とされている。
【００６１】
また、狭隘領域３７ｃにおいては、このような強度維持の必要性よりも、開封時の美観を重視して、ガイド破断線のない、破断線によって切り取り線が構成されている。
なお、開封部３７の輪郭は、表板３１と天板３４との境界線と重なる幅方向中央付近において、高さ方向で天板３４側に位置して、開封し易さを向上している。
【００６２】
表板３１とほぼ同じ輪郭形状とされる裏板３２には、裏板３２の高さ方向中央位置に略水平方向として設けられた二つ折り線３８と、二つ折り線３８を跨いで形成された係止手段４０と、が設けられる。
右側板３５には、二つ折り線３８端部から表板３１まで延在する分割線３８ｂが設けられ、左側板３６には、二つ折り線３８端部から表板３１まで延在する分割線３８ｃが設けられる。
【００６３】
これら分割線３８ｂおよび分割線３８ｃは、分割線１８ｂおよび分割線１８ｃと異なり、開放領域３７ａにおける開封部１７輪郭線まで連続するように二つ折り線３８を延長した幅方向に延在する直線として設けられている。分割線３８ｂおよび分割線３８ｃは、狭隘領域３７ｃにおける開封部３７の切り取り線と同様にガイド破断線のない、破断線とされている。また、貼り着けフラップ３６ａには、左側板３６に貼り着けた際に分割線３８ｃと協働してこの分割線３８ｃと同時に切断可能となるように、分割線３８ｃと重なる位置として分割線３６ｃが設けられる。
【００６４】
二つ折り線３８は、裏板３２の高さ方向略中央に位置して幅方向と平行に裏板３２の全幅に亘って設けられる。二つ折り線３８によって裏板３２を折り曲げることで、裏板３２は、下裏板３２Ａと上裏板３２Ｂとが略対向する位置まで近づくことになる。
【００６５】
係止手段４０は、二つ折り線３８の位置から二つ折り線３８と交差する高さ方向に延在するように設けられた係止溝４１と、二つ折り線３８に対して係止溝４１と反対側から係止溝４１に向けて延在し、その二つ折り線３８側である先端４２ｄが係止溝４１よりも幅広とされた係止部４２とからなる。
【００６６】
本実施形態においては、図７に示すように、係止溝４１が二つ折り線３８の幅方向中央付近で、上裏板３２Ｂに高さ方向に延在する平行な同じ長さの切り込み線４１ａ，４１ｂと、切り込み線４１ａ，４１ｂよりも二つ折り線３８側でこの切り込み線４１ａ，４１ｂ間よりも幅方向寸法である間隔が大きく拡大された切り込み線４１ｃ，４１ｄと、切り込み線４１ａ，４１ｂの天板３４側端部どうしを結んで幅方向と平行に延在する折り込み線４１ｅと、から形成され、切り込み線４１ａ，４１ｂの間の基端部分４１Ａと、切り込み線４１ｃ，４１ｄの間に位置する拡幅端部４１Ｂとからなる折り込み片４１と同一形状とされる。
【００６７】
これら切り込み線４１ａと切り込み線４１ｃとは、係止溝４１の幅方向寸法がなめらかに拡大するように接続され、同様に、切り込み線４１ｂと切り込み線４１ｄとは、係止溝４１の幅方向寸法がなめらかに拡大するように接続されている。
また、切り込み線４１ａ，４１ｂの天板３４側の端部には、折り込み線４１ｅと接続する位置に、それぞれ係止溝４１の幅方向寸法が大きくなるように拡幅溝４１ｆ，４１ｇが設けられている。
【００６８】
また、係止溝４１は、切り込み線４１ａ，４１ｂの間の間隔である基端部分４１Ａの幅寸法が、二つ折り線３８側から天板３４側に向かって縮小し、拡幅溝４１ｆ，４１ｇの直近で最も小さくなるように設定することもできる。
【００６９】
係止溝４１は、これら基端部分４１Ａおよび拡幅端部４１Ｂとからなる折り曲げ片４１を折り込み線４１ｅから折り曲げることで、二つ折り線３８側の幅寸法が大きく天板３４側寸法が小さくなった形状として形成される。
なお、折り曲げ片４１の底板３３側の拡幅端部４１Ｂの先端は二つ折り線３８と一致する直線とされている。
【００７０】
係止部４２は、二つ折り線３８に対して係止溝４１と対称な位置に対応して、図７に示すように、切り込み線４１ｃ，４１ｄを、二つ折り線３８を超えて延長してこの切り込み線４１ｃ，４１ｄと同じ間隔（幅寸法）として設けた切り込み線４１ｃ，４１ｄと、この切り込み線４１ｃ，４１ｄよりも底板３３側の位置で切り込み線４１ａ，４１ｂを、二つ折り線３８を超えて延長してこの切り込み線４１ａ，４１ｂと同じ間隔（幅寸法）として設けた切り込み線４２ａ，４２ｂと、切り込み線４２ａ，４２ｂの底板３３側端部どうしを結んだ幅方向と平行に延在する折り込み線４２ｅ、から形成されて、切り込み線４２ａ，４２ｂの間の基端部分４２Ａと、切り込み線４２ｃ，４２ｄの間に位置する拡幅端部４２Ｂとからなる。
【００７１】
これら切り込み線４２ａと切り込み線４２ｃとは、係止部４２の幅方向寸法がなめらかに拡大するように接続され、同様に、切り込み線４２ｂと切り込み線４２ｄとは、係止部４２の幅方向寸法がなめらかに拡大するように接続されている。
また、切り込み線４２ａ，４２ｂの底板３３側端部には、折り込み線４２ｅと接続する位置として折り込み線４２ｅを外側に延長するように、それぞれ係止部４２の幅方向寸法が大きくなるように拡幅溝４２ｆ，４２ｇが設けられている。
【００７２】
また、係止部４２は、切り込み線４２ａ，４２ｂの間の間隔である基端部分４２Ａの幅寸法が、二つ折り線３８側から底板３３側に向かって縮小し、拡幅溝４２ｆ，４２ｇの直近で最も小さくなるように設定することもできる。
【００７３】
係止部４２は、基端部分４２Ａおよび拡幅端部４２Ｂを折り込み線４２ｅから折り曲げて、下裏板３２Ａ側に接続された係止部４２の基端部分４２Ａの大部分と拡幅端部４２Ｂとを、折り曲げた上裏板３２Ｂの箱外側位置に突出させて、拡幅端部４２Ｂより基端側の切り込み線４１ａ，４１ｂの間の幅方向寸法の小さな基端部分４２Ａを係止溝４１に係止することでディスプレイ箱３０の自立状態を実現する。
【００７４】
係止部４２の天板３４側先端である拡幅端部４２Ｂは二つ折り線３８と一致する直線とされており、拡幅端部４２Ｂの天板３４側の先端と、拡幅端部４１Ｂの底板３３側の先端とは、互いに分離切断されている。
また、係止部４２の拡幅端部４２Ｂには、切り込み線４１ａ，４１ｂを延長した位置に、高さ方向に延在する平行な同じ長さの折れ線４２ｈ，４２ｊを設けることができる。
【００７５】
枚葉のシート３０ａを組み立ててディスプレイ箱３０とする場合には、貼り着けフラップ３６ａを裏板３２との境界線で山折りにして、裏板３２の右側板３５と反対側辺に設けられた貼り着けフラップ３６ａを箱内側へと折り曲げるとともに、左側板３６を表板３１との境界線で山折りにし、右側板３５を表板３１との境界線で山折りにし、右側板３５を裏板３２との境界線で山折りにして、貼り着けフラップ３６ａの表面を左側板１６の裏面に貼り着けることによって、これら表板３１と、右側板３５と、裏板３２と、左側板３６とが、周方向に環状となるように断面矩形の筒を形成する。このとき、分割線３８ｃと分割線３６ｃとが重なる位置として貼り着けフラップ３６ａと左側板３６とが貼り着けられる。
【００７６】
次いで、筒状となった枚葉のシート３０ａにおいて、また、右側板３５の底板３３側辺に設けられた折り込みフラップ３３ｂを、右側板３５と折り込みフラップ３３ｂとの境界を山折りとして、箱内側へと折り曲げ、左側板３６の底板３３側辺に設けられた折り込みフラップ３３ｃを、左側板３６と折り込みフラップ３３ｃとの境界を山折りとして、箱内側へと折り曲げる。その後、裏板３２の底板３３側辺に設けられた貼り着けフラップ３３ａを、裏板３２と貼り着けフラップ３３ａとの境界を山折りとして、箱内側へと折り曲げろ。そして、底板３３を、表板３１と底板３３との境界を山折りとして、箱内側へと折り曲げて、底板３３の裏面と貼り着けフラップ３３ａの表面とを貼り着けて、表板３１と裏板３２と、右側板３５と、左側板３６とが、底板３３の全周に亘って立設された有底箱状に形成する。
【００７７】
さらに、図３に示したように、所定数の薄厚商品Ｃを内部に収納した後に、右側板３５の天板３４側辺に設けられた折り込みフラップ３４ｂを、右側板３５と折り込みフラップ３４ｂとの境界を山折りとして、箱内側へと折り曲げるとともに、左側板３６の天板３４側辺に設けられた折り込みフラップ３４ｃを、左側板３６と折り込みフラップ３４ｃとの境界を山折りとして、箱内側へと折り曲げる。
【００７８】
最後に、天板３４の表板３１と反対側辺に設けられた折り込みフラップ３４ａを、天板３４と折り込みフラップ３４ａとの境界を山折りとして、箱内側へと折り曲げた状態で、天板３４を、表板３１と天板３４との境界を山折りとして、裏板３２側に折り曲げて、折り込みフラップ３４ａを、裏板３２の上端と折り込みフラップ３４ｂ，３４ｃとの内側に差し込んで固定して、表板３１と裏板３２と、右側板３５と、左側板３６とが、底板３３の全周に亘って立設された有底箱状の上部開口を天板３４によって閉塞してディスプレイ箱３０とする。折り込みフラップ３４ａと裏板３２とは、商品Ｃを収納した後に貼り合わせてもよいし、表板３１と折り込みフラップ３４ａとの境界線幅方向両端に設けられた切り込みが折り込みフラップ３４ｂ，３４ｃと係止された状態で包装完了としてもよい。
【００７９】
本実施形態のディスプレイ箱３０を自立展示状態とするには、図８に示すように、ディスプレイ箱３０の上部となっている開封部３７の切り取り線３７ｆから右開封部３７Ｂを開封するとともに、右開封部３７Ｂの輪郭に沿って表板３１、右側板３５、および、左開封部３７Ｃから切り離し線３７Ａよりも右側板３５側の開封部３７の半分である右開封部３７Ｂを切断してゆく。同様に、切り取り線３７ｄから左開封部３７Ｃを開封するとともに、左開封部３７Ｃの輪郭に沿って表板３１、左側板３６、および、右開封部３７Ｂとの連続部分から切り離し線３７Ａよりも左側板３６側の開封部３７の半分である左開封部３７Ｃを切断してゆく。
なお、右開封部３７Ｂと左開封部３７Ｃとはどちらを先に開封しても構わない。そして、切り取り線３７ｅから開封部１７を分離する。
【００８０】
次いで、分割線３８ｂおよび分割線３８ｃを分離して、分割線３８ｂから右側板３５を上下に二分割するとともに、分割線３８ｃから左側板３６を上下に二分割する。
同時に、裏板３２を二つ折り線３８から谷折りして上裏板３２Ｂと下裏板３２Ａとの外側表面どうしが対向して面接触するように折り曲げる。
【００８１】
係止溝４１となる折り曲げ片の基端部分４１Ａを折り込み線４１ｅから谷折りし、折り曲げ片４１を上裏板３２Ｂ内側方向に折り曲げて、係止溝４１を形成する。次いで、折り曲げ片４１と同様に、係止部４２の基端部分４２Ａを折り込み線４２ｅから山折りし、この基端部分４２Ａおよび拡幅端部４２Ｂを上裏板３２Ｂ内側方向に折り曲げて、係止部４２の基端部分４２Ａを係止溝４１内に挿入する。
さらに、係止部４２の基端部分４２Ａを、拡幅溝４１ｆ，４１ｇに挟持されるように挿入する。
この際、係止溝４１には、拡幅端部４１Ｂに対応して二つ折り線３８側が拡幅されているために、折れ線４２ｈ，４２ｊを谷折りまたは山折りにして係止部４２における拡幅端部４２Ｂの幅方向寸法を係止溝２１の幅寸法と略同一の状態とする必要はない。
【００８２】
そして、係止部４２の基端部分４２Ａのうち拡幅端部４２Ｂの直近部分が係止溝４１の拡幅溝４１ｆ，４１ｇに位置した状態とすることにより、裏板３２における二つ折り線３８付近の弾性により上裏板３２Ｂと下裏板３２Ａとが互いに離間しようとして、拡幅端部４２Ｂが拡幅溝４１ｆ，４１ｇに係止される。これにより、図８に示すように、ディスプレイ箱３０が自立展示状態となるとともに、このディスプレイ箱３０の上裏板３２Ｂと下裏板３２Ａとの折り曲げ角度を係止部４２の基端部分４２Ａの長さに対応した状態に設定して、二つ折り状態を維持することが可能となる。
【００８３】
さらに、本実施形態におけるディスプレイ箱３０は、係止手段４０においては、上裏板３２Ｂ側に位置する係止溝４１と下裏板３２Ａ側に位置する係止部４２との役割を入れ替えて、係止することが可能である。
【００８４】
具体的には、本実施形態におけるディスプレイ箱３０は、図９に示すように、下裏板３２Ａ側に位置する基端部分４２Ａを折り込み線４２ｅから谷折りし、基端部分４２Ａおよび拡幅端部４２Ｂを下裏板３２Ａ内側方向の底板３３側に折り曲げて、係止溝４２を形成する。次いで、同様に、基端部分４１Ａを折り込み線４１ｅから山折りし、この基端部分４１Ａおよび拡幅端部４１Ｂを係止部４１として下裏板３２Ａ内側方向の底板３３側に折り曲げて、基端部分４１Ａおよび拡幅端部４１Ｂを係止部４１として、係止溝４２内に挿入する。
【００８５】
そして、係止部４１としての基端部分４１Ａの拡幅端部４１Ｂ側に位置する部分を、拡幅溝４２ｆ，４２ｇに挟持されるように挿入する。
そして、係止部４１としての基端部分４１Ａのうち拡幅端部４１Ｂの直近部分が係止溝４２の拡幅溝４２ｆ，４２ｇに位置した状態とすることにより、拡幅端部４１Ｂ直近が拡幅溝４２ｆ，４２ｇに係止されて、図９に示すように、ディスプレイ箱３０が自立展示状態となる。同時に、図８に示す係止部４２とされた基端部分４２Ａの長さに対して、図９に示す係止部４１とされた基端部分４１Ａの長さが短く設定されていることに対応して、自立状態におけるディスプレイ箱３０の上裏板３２Ｂと下裏板３２Ａとの折り曲げ角度を、図８に示した係止部４２の基端部分４２Ａに対応した状態より、図９に示すように、傾斜の少ない状態に設定して二つ折り状態を維持することが可能となる。
なお、係止部４１または係止部４２を用いてディスプレイ箱３０を自立展示状態とする際に、必要ならば、右開封部３７Ｂ、左開封部３７Ｃの分離後に、商品Ｃを一度取り出してから組み立てることも可能である。
【００８６】
本実施形態におけるディスプレイ箱３０は、開封部３７を分離切断するとともに、二つ折り線３８から裏板３２を二つ折りとして係止手段４０により係止した自立折り曲げ状態とすることができ、扁平なディスプレイ箱３０を、商品Ｃが傾斜した状態で底板３３および天板３４を脚部として自立安定的に自立維持させることが可能となる。さらに、この際、同時に、図８または図９に示すように、この自立展示状態とする際に、二つ折り線３８の両側に位置する係止手段４０において係止する方向を切り替えることにより、垂直に近い状態と、傾斜の大きい状態を切り替えて、商品Ｃの傾斜状態を選択して展示をおこなうことが可能となっている。
【００８７】
さらに、本実施形態においては、図１０に示すように、二つ折り線３８の両側で、基端部分４１Ａおよび基端部分４２Ａに変えて、さらに、長さの異なるように基端部分４１Ｃおよび基端部分４２Ｃとするとともに、拡幅端部４１Ｂと拡幅端部４２Ｂに変えて、拡幅端部４１Ｄと拡幅端部４２Ｄとの境界線を二つ折り線３８よりもより短い基端部分４１Ｃ側（天板３４側）に移動させて、よりいっそう、商品Ｃの傾斜角度の差を大きくした状態を選択して展示をおこなうことが可能である。
【産業上の利用可能性】
【００８８】
本発明の活用例として、例示した大判の湿布以外にも、縦長であるスティック状の包装体などを収納展示販売搬送するディスプレイ箱とすることができる。
【符号の説明】
【００８９】
１０、３０…ディスプレイ箱
１１，３１…表板
１１ａ，３１ａ…下端部分（残部）
１１ｃ，１１ｂ，１１ｅ，１１ｆ，３１ｂ，３１ｃ，３１ｅ，３１ｆ…残部
１２，３２…裏板
１３，３３…底板
１４，３４…天板
１５，３５…右側板
１６，３６…左側板
１７，３７…開封部
１７ａ，３７ａ…開放領域
１７ｂ，３７ｂ…天側領域
３７Ａ…切り離し線
３７Ｂ…右開封部
３７Ｃ…左開封部
１８、３８…二つ折り線
１８ｂ，１８ｃ，３８ｂ，３８ｃ…分割線
２０，４０…係止手段
２１，４１…係止溝
２２，４２…係止部
【図１】
0006561439.tif 000002
【図２】
0006561439.tif 000003
【図３】
0006561439.tif 000004
【図４】
0006561439.tif 000005
【図５】
0006561439.tif 000006
【図６】
0006561439.tif 000007
【図７】
0006561439.tif 000008
【図８】
0006561439.tif 000009
【図９】
0006561439.tif 000010
【図１０】
0006561439.tif 000011